(57)【要約】【課題】小容量のタンクを用いる場合であっても、ヒートポンプを、暖房端末における放熱量に適合する適切な加熱能力で動作させることができる暖房装置を提供する。【解決手段】制御装置９５は、サーミスタＴ２が第１閾値ＴＨ１以上の温度を検出してから、サーミスタＴ３が第１閾値ＴＨ１以上の温度を検出するまでに要した時間に応じて、ヒートポンプユニット２０の加熱能力を低下させる。同様に、制御装置９５は、サーミスタＴ２が第２閾値ＴＨ２より低い温度を検出してから、サーミスタＴ１が第２閾値ＴＨ２より低い温度を検出するまでに要した時間に応じて、ヒートポンプユニット２０の加熱能力を上昇させる。【選択図】  図１
2016109334.tif 000002
【特許請求の範囲】
【請求項１】
熱媒を加熱するヒートポンプと、
熱媒を蓄えるタンクと、
タンク内の熱媒の温度を検出する複数個の検出手段と、
熱媒の熱を利用して暖房を行う暖房端末と、
ヒートポンプとタンクの間で熱媒を循環させる蓄熱循環経路と、
タンクと暖房端末の間で熱媒を循環させる放熱循環経路と、
制御装置と、
を備えており、
複数個の検出手段は、タンク内の所定位置の熱媒の温度を検出するための第１の検出手段と、第１の検出手段とは異なる位置の熱媒の温度を検出するための第２の検出手段とを含み、
制御装置は、ヒートポンプを動作させながら暖房端末で暖房を行う場合において、第１の検出手段で特定温度が検出されてから第２の検出手段でも特定温度が検出されるまでに要した差分時間に応じて、ヒートポンプの加熱能力を変化させる、
暖房装置。
【請求項２】
制御装置は、
差分時間が第１時間である場合、ヒートポンプの加熱能力を第１の変化量だけ変化させ、
差分時間が第１時間より短い第２時間である場合、ヒートポンプの加熱能力を第１の変化量より多い第２の変化量だけ変化させる、
請求項１の暖房装置。
【発明の詳細な説明】
【技術分野】
【０００１】
本明細書は、暖房装置に関する技術を開示する。
【背景技術】
【０００２】
特許文献１には、熱媒を加熱するヒートポンプと、熱媒を蓄えるタンクと、タンク内の熱媒の温度を検出する検出手段と、熱媒の熱を利用して暖房を行う暖房端末と、ヒートポンプとタンクの間で熱媒を循環させる蓄熱循環経路と、タンクと暖房端末の間で熱媒を循環させる放熱循環経路と、制御装置を備える暖房装置が開示されている。制御装置は、ヒートポンプを動作させながら暖房端末で暖房を行う場合において、タンクの蓄熱量に応じてヒートポンプの加熱能力を切り替える。
【０００３】
暖房端末とヒートポンプの間にタンクが介在する暖房装置では、タンクが暖房端末における放熱量の変動を緩衝する役割を果たす。そのため、暖房端末における放熱量の変動に対してヒートポンプの加熱能力を即座に追従させて変化させる必要がない。特許文献１の暖房装置では、タンクの蓄熱量に応じてヒートポンプの加熱能力を切り替えることで、暖房端末における放熱量とヒートポンプにおける加熱量のバランスを図っている。
【先行技術文献】
【特許文献】
【０００４】
【特許文献１】特開２０１３−１４２４８８号公報
【発明の概要】
【発明が解決しようとする課題】
【０００５】
近年、タンクに蓄えられる熱媒からの放熱ロスを少なくするとともに、省スペース化を図るため、小容量のタンクが用いられる場合がある。特許文献１の技術では、タンクの容量を小さくすると、タンクの蓄熱量が変動しやすくなり、ヒートポンプを、暖房端末における放熱量に適合する適切な加熱能力で動作させることが難しくなる場合がある。
【０００６】
本明細書では、小容量のタンクを用いる場合であっても、ヒートポンプを、暖房端末における放熱量に適合する適切な加熱能力で動作させることができる暖房装置を開示する。
【課題を解決するための手段】
【０００７】
本明細書が開示する暖房装置は、熱媒を加熱するヒートポンプと、熱媒を蓄えるタンクと、タンク内の熱媒の温度を検出する複数個の検出手段と、熱媒の熱を利用して暖房を行う暖房端末と、ヒートポンプとタンクの間で熱媒を循環させる蓄熱循環経路と、タンクと暖房端末の間で熱媒を循環させる放熱循環経路と、制御装置と、を備えている。複数個の検出手段は、タンク内の所定位置の熱媒の温度を検出するための第１のサーミスタと、第１の検出手段とは異なる位置の熱媒の温度を検出するための第２の検出手段とを含む。制御装置は、ヒートポンプを動作させながら暖房端末で暖房を行う場合において、第１の検出手段で特定温度が検出されてから第２の検出手段でも特定温度が検出されるまでに要した差分時間に応じて、ヒートポンプの加熱能力を変化させる。
【０００８】
ヒートポンプの加熱能力は、ヒートポンプの単位時間当たりの加熱量と言い換えることができる。
【０００９】
この構成によると、暖房装置は、差分時間に応じて、ヒートポンプの加熱能力を変化させることができる。言い換えると、暖房装置は、タンクへの蓄熱速度又はタンクからの放熱速度に応じて、ヒートポンプの加熱能力を変化させることができる。即ち、暖房装置は、タンクの容量にかかわらず、差分時間（即ち、タンクへの蓄熱速度又はタンクからの放熱速度）を参照することで、現時点のヒートポンプの加熱能力と暖房端末における放熱量との乖離量（アンバランス量）を推定することができ、放熱過多によってタンクが蓄熱不足状態（湯切れ状態）になったり、蓄熱過多によってタンクが満蓄状態になったりする前に、暖房端末における放熱量に適合する適切な加熱能力でヒートポンプを動作させることができる。従って、この暖房装置によると、小容量のタンクを用いる場合であっても、ヒートポンプを、暖房端末における放熱量に適合する適切な加熱能力で動作させることができる。
【００１０】
制御装置は、差分時間が第１時間である場合、ヒートポンプの加熱能力を第１の変化量だけ変化させ、差分時間が第１時間より短い第２時間である場合、ヒートポンプの加熱能力を第１の変化量より多い第２の変化量だけ変化させることが好ましい。
【００１１】
この構成によると、暖房装置は、差分時間が短い（即ち、タンクへの蓄熱速度又はタンクからの放熱速度が速い場合）には、ヒートポンプの加熱能力を大きく変化させ、差分時間が長い（即ち、タンクへの蓄熱速度又はタンクからの放熱速度が遅い場合）には、ヒートポンプの加熱能力を小さく変化させることができる。状況に応じて、ヒートポンプを適切な加熱能力で動作させることができる。
【図面の簡単な説明】
【００１２】
【図１】第１実施例の給湯暖房システム１０の構成を模式的に示す図。
【図２】ヒートポンプユニット２０を運転しながら暖房を行うときの熱媒の流れを示す図。
【図３】暖房端末９０の要求する熱媒の温度に対して、タンク３０から暖房用往路５６に送られる熱媒の温度が高い場合の熱媒の流れを示す図である。
【図４】暖房端末９０の要求する熱媒の温度に対して、タンク３０から暖房用往路５６に送られる熱媒の温度が低い場合の熱媒の流れを示す図である。
【図５】第１実施例で制御装置９５が実行する暖房制御処理を示すフローチャート。
【図６】第１実施例で制御装置９５が実行する能力低下処理を示すフローチャート。
【図７】第１実施例で制御装置９５が実行する能力上昇処理を示すフローチャート。
【図８】第２実施例の給湯暖房システム１００の構成を模式的に示す図。
【図９】第２実施例で制御装置９５が実行する暖房制御処理を示すフローチャート。
【図１０】第２実施例で制御装置９５が実行する能力低下処理を示すフローチャート。
【図１１】第２実施例で制御装置９５が実行する能力上昇処理を示すフローチャート。
【発明を実施するための形態】
【００１３】
（第１実施例）
（システム構成；図１）
図１に示すように、本実施例の給湯暖房システム１０は、ヒートポンプユニット２０と、タンクユニット２８と、給湯暖房ユニット８０と、暖房端末９０と、制御装置９５を備えている。
【００１４】
ヒートポンプユニット２０は、大気から吸熱して、タンクユニット２８から送られる熱媒を加熱するヒートポンプである。ヒートポンプユニット２０は、図示省略するが、圧縮機、放熱器、膨張弁、蒸発器と、それらを順に接続する冷媒循環経路を備えている。その他、蒸発器に送風するファンや、それを駆動するモータ等も設けられている。冷媒循環経路内には、冷媒（例えば、Ｒ３２やＲ４１０といったＨＦＣ冷媒や、Ｒ７４４といったＣＯ２冷媒等）が充填されている。ヒートポンプユニット２０の詳細については、公知のものと同じであるので、ここでは説明を省略する。ヒートポンプユニット２０は、圧縮機に内蔵されているモータの回転数を段階的に変えることにより、加熱能力（即ち、単位時間あたりの加熱量）を段階的に切換可能である。また、ヒートポンプユニット２０には、ヒートポンプユニット２０とタンクユニット２８との間で熱媒を循環させる循環ポンプ２２が設けられている。
【００１５】
タンクユニット２８は、熱媒を貯めるタンク３０を備えている。本実施例の熱媒は、不凍液である。本実施例のタンク３０は、一例であるが、３０リットルの容量を有している。タンク３０には、タンク３０の高さ方向上側から順にサーミスタＴ１、Ｔ２、Ｔ３が設けられている。サーミスタＴ１はタンク３０の上部（例えばタンク３０の頂部から１０リットルの位置）に設けられており、サーミスタＴ２はタンク３０の中間部（例えばタンク３０の頂部から１５リットルの位置）に設けられており、サーミスタＴ３はタンク３０の下部（例えばタンク３０の頂部から２０リットルの位置）に設けられている。サーミスタＴ１、Ｔ２、Ｔ３は、制御装置９５に接続されている。なお、タンク３０内の熱媒の温度を検出するサーミスタは、上記の３つに限定されるものではなく、２つ設けられていてもよいし、後述の第２実施例（図８参照）のように４つ以上設けられていてもよい。
【００１６】
タンク３０内の熱媒は、タンク３０内で温度成層を形成する。即ち、タンク３０の頂部付近には高温の熱媒の層（以下「高温層」と呼ぶ場合がある）が形成され、タンク３０の下部付近には低温の熱媒の層（以下「低温層」と呼ぶ場合がある）が形成される。高温層と低温層との間には、中間温度の熱媒の層（以下「中温層」と呼ぶ場合がある）が形成される。タンク３０内の蓄熱量に応じて、タンク３０内における高温層と中温層の境界の高さ、及び、低温層と中温層の境界の高さが変動する。制御装置９５は、サーミスタＴ１、Ｔ２、Ｔ３の検出温度によって、温度成層を形成する各層の境界の位置を把握することができる。
【００１７】
タンク３０は、蓄熱用往路３４と蓄熱用復路３２を介して、ヒートポンプユニット２０に接続されている。蓄熱用往路３４は、タンク３０からヒートポンプユニット２０へ熱媒を送る管路であり、タンク３０の底部に接続されている。蓄熱用復路３２は、ヒートポンプユニット２０からタンク３０へ熱媒を戻す管路であり、タンク３０の頂部に接続されている。蓄熱用往路３４と蓄熱用復路３２は、ヒートポンプユニット２０とタンク３０との間で熱媒を循環させる循環経路を構成している。当該循環経路には、前述した循環ポンプ２２が設けられている。本実施例の循環ポンプ２２は、ヒートポンプユニット２０に内蔵されているが、循環ポンプ２２の位置は特に限定されない。
【００１８】
蓄熱用往路３４には、手動弁２４と、蓄熱往路サーミスタ４４が設けられている。同様に、蓄熱用復路３２にも、手動弁２４と、蓄熱復路サーミスタ４６が設けられている。蓄熱往路サーミスタ４４は、ヒートポンプユニット２０による加熱前の熱媒の温度を検出することができ、蓄熱復路サーミスタ４６は、ヒートポンプユニット２０による加熱後の熱媒の温度を検出することができる。蓄熱往路サーミスタ４４と蓄熱復路サーミスタ４６は、制御装置９５に接続されている。
【００１９】
暖房端末９０は、タンク３０からの熱媒を放熱させて暖房を行う。暖房端末９０は、例えば、パネルヒータ、パネルラジエータ、床暖房、ファンコンベクタ、温水式ルームエアコンである。暖房端末９０は、暖房用往路５６と暖房用復路６０を介して、タンク３０に接続されている。暖房用往路５６は、タンク３０から暖房端末９０へ熱媒を送る管路であり、タンク３０の頂部に接続されている。暖房用復路６０は、暖房端末９０からタンク３０へ熱媒を戻す管路であり、タンク３０の底部に接続されている。暖房用往路５６と暖房用復路６０は、タンク３０と暖房端末９０との間で熱媒を循環させる循環経路を構成している。
【００２０】
暖房用復路６０には、手動弁５２を有する排水管５０が接続されている。また、暖房用復路６０には、膨張タンク７０が設けられている。本実施例では、熱媒の循環する回路が密閉回路とされているので、熱媒の熱膨張を吸収するために、膨張タンク７０が用意されている。なお、膨張タンク７０を接続する位置は、暖房用復路６０に限定されず、例えば暖房用往路５６や他の経路に接続してもよい。
【００２１】
暖房用往路５６は、給湯暖房ユニット８０を経由して、暖房端末９０に接続されている。給湯暖房ユニット８０は、燃焼式の熱源機であり、可燃性ガスを燃焼させる二つのバーナ８４、８６を有する。一方のバーナ８４は、給湯用のものであり、給湯管路８２を流れる上水を加熱する。他方のバーナ８６は、暖房用のものであり、必要に応じて、暖房用往路５６を流れる熱媒を加熱する。また、給湯暖房ユニット８０には、暖房端末９０とタンクユニット２８との間で熱媒を循環させる循環ポンプ８７が設けられている。なお、循環ポンプ８７を設ける位置は、給湯暖房ユニット８０に限られず、特に限定されない。この構成によると、暖房用往路５６を通って暖房端末９０に送られる熱媒の温度が低すぎるときは、バーナ８６で暖房用往路５６を流れる熱媒を加熱することにより、暖房端末９０に送られる熱媒の温度を上昇させることができる。
【００２２】
暖房用往路５６と暖房用復路６０の間は、バイパス経路６４を介して接続されている。それにより、暖房用復路６０を流れる熱媒の一部又は全部を、タンク３０を経由することなく、暖房用往路５６へ送ることができるように構成されている。また、暖房用復路６０とバイパス経路６４との分岐位置には混合弁６６が設けられており、暖房用復路６０からバイパス経路６４を介して暖房用往路５６へ送られる熱媒の流量と、暖房用復路６０からタンク３０を介して暖房用往路５６へ送られる熱媒の流量の比率を調整できるようになっている。混合弁６６は、制御装置９５に接続されており、その動作は制御装置９５によって制御される。この構成によると、暖房用往路５６を通って暖房端末９０に送られる熱媒の温度が高すぎるときは、暖房用復路６０を流れる放熱後の熱媒を、暖房用往路５６を流れる熱媒に合流させることによって、暖房端末９０に送られる熱媒の温度を低下させることができる。
【００２３】
暖房用往路５６には、第１暖房往路サーミスタ４８、第２暖房往路サーミスタ５８が設けられている。第１暖房往路サーミスタ４８は、バイパス経路６４が暖房用往路５６に合流する合流点よりも上流側に設けられており、タンク３０から暖房用往路５６に送られる熱媒の温度を検出する。第２暖房往路サーミスタ５８は、バイパス経路６４が暖房用往路５６に合流する合流点よりも下流側に設けられており、タンク３０から暖房用往路５６に送られる熱媒とバイパス経路６４から暖房用往路５６に送られる熱媒が混合した後の温度を検出する。暖房用復路６０には、暖房復路サーミスタ６２が設けられている。暖房復路サーミスタ６２は、暖房用復路６０を流れる熱媒の温度を検出する。第１暖房往路サーミスタ４８、第２暖房往路サーミスタ５８および暖房復路サーミスタ６２は、制御装置９５に接続されている。
【００２４】
制御装置９５は、各サーミスタＴ１、Ｔ２、Ｔ３、４４、４６、４８、５８、６２に電気的に接続されており、各サーミスタが検出する熱媒の温度を把握している。また、制御装置９５は、ヒートポンプユニット２０、混合弁６６、及び、バーナ８４、８６、の各要素とも電気的に接続されており、各要素の動作を制御する。そのため、例えば、制御装置９５は、第１暖房往路サーミスタ４８、第２暖房往路サーミスタ５８および暖房復路サーミスタ６２の検出温度に基づいて、混合弁６６の動作を制御することで、暖房端末９０に送られる熱媒の温度を所望の温度に調整することができる。また、制御装置９５は、ヒートポンプユニット２０を運転しながら暖房を行う場合において、後述の暖房制御処理（図５〜図７）を実行する。
【００２５】
図２は、ヒートポンプユニット２０を運転しながら暖房を行うときの熱媒の流れを示している。図２に示すように、暖房端末９０には、タンク３０の上部から暖房用往路５６を通じて高温の熱媒が送られる。暖房端末９０に送られた高温の熱媒は、暖房端末９０において放熱した後に、暖房用復路６０を通じてタンク３０の下部へ戻される。一方、ヒートポンプユニット２０には、タンク３０の下部から蓄熱用往路３４を通じて低温の熱媒が送られる。ヒートポンプユニット２０に送られた低温の熱媒は、ヒートポンプユニット２０において加熱された後に、蓄熱用復路３２を通じてタンク３０の上部へ戻される。
【００２６】
図３は、暖房端末９０の要求する熱媒の温度に対して、タンク３０から暖房用往路５６に送られる熱媒の温度が高い場合の熱媒の流れを示している。この場合には、制御装置９５は、混合弁６６の開度を調整して、暖房用復路６０からバイパス経路６４を介して暖房用往路５６へ送られる熱媒の流量を増加させ、暖房用復路６０からタンク３０を介して暖房用往路５６へ送られる熱媒の流量を減少させる。これにより、暖房用往路５６から暖房端末９０へ送られる熱媒の温度を、暖房端末９０の要求する熱媒の温度に調整することができる。暖房端末９０の要求する熱媒の温度が低下した場合でも、暖房端末９０における要求の変化に速やかに対応することができる。
【００２７】
図４は、暖房端末９０の要求する熱媒の温度に対して、タンク３０から暖房用往路５６に送られる熱媒の温度が低い場合の熱媒の流れを示している。この場合には、制御装置９５は、バーナ８６を作動させ、バーナ８６で暖房用往路５６を流れる熱媒を加熱する。バーナ８６における加熱量を調整することで、暖房用往路５６から暖房端末９０へ送られる熱媒の温度を、暖房端末９０の要求する熱媒の温度に速やかに調整することができる。暖房端末９０の要求する熱媒の温度が上昇した場合でも、暖房端末９０における要求の変化に速やかに対応することができる。
【００２８】
（第１実施例の暖房制御処理；図５〜図７）
続いて、図５〜図７を参照して、本実施例において、ヒートポンプユニット２０を運転しながら暖房を行う場合において、制御装置９５が実行する暖房制御処理の内容について説明する。制御装置９５は、ヒートポンプユニット２０を運転しながら暖房を行っている間、図５の暖房制御処理を実行する。
【００２９】
Ｓ１０では、制御装置９５は、所定時間が経過したことを監視する。所定時間は、例えば１分間である。所定時間が経過すると、制御装置９５は、Ｓ１０でＹＥＳと判断し、Ｓ１２に進む。
【００３０】
Ｓ１２では、制御装置９５は、タンク３０の中間部に設けられたサーミスタＴ２の検出温度が、所定の第１閾値ＴＨ１より低いか否かを判断する。第１閾値ＴＨ１は、ヒートポンプユニット２０によって加熱された直後の熱媒温度（例えば、８５℃）よりも一定温度だけ低い温度（例えば、８０℃）である。第１閾値ＴＨ１のことを高温閾値と呼んでもよい。
【００３１】
この時点でのサーミスタＴ２の検出温度が第１閾値ＴＨ１以上である場合（即ち、タンク３０の頂部から中間部に至るまで高温の熱媒が貯まっている場合）には、制御装置９５は、Ｓ１２でＮＯと判断し、Ｓ１４に進む。Ｓ１４では、制御装置９５は、ヒートポンプユニット２０の加熱能力を１段階低下させる。Ｓ１４を終えると、再びＳ１０に戻り、所定時間が経過することを監視する。
【００３２】
一方、この時点でのサーミスタＴ２の検出温度が第１閾値ＴＨ１より低い場合（即ち、タンク３０の中間部まで高温の熱媒が貯まっていない場合）には、制御装置９５は、Ｓ１２でＹＥＳと判断し、Ｓ１６に進む。
【００３３】
Ｓ１６では、制御装置９５は、サーミスタＴ２の検出温度が、所定の第２閾値ＴＨ２以上であるか否かを判断する。第２閾値ＴＨ２は、暖房端末９０において放熱した直後の熱媒温度（例えば、４０℃）よりも一定温度だけ高い温度（例えば、４５℃）である。第２閾値ＴＨ２のことを低温閾値と呼んでもよい。
【００３４】
この時点でのサーミスタＴ２の検出温度が第２閾値ＴＨ２より低い場合（即ち、タンク３０の下部から中間部に至るまで低温の熱媒が貯まっている場合）には、制御装置９５は、Ｓ１６でＮＯと判断し、Ｓ１８に進む。Ｓ１８では、制御装置９５は、ヒートポンプユニット２０の加熱能力を１段階上昇させる。Ｓ１８を終えると、再びＳ１０に戻り、所定時間が経過することを監視する。
【００３５】
一方、この時点でのサーミスタＴ２の検出温度が第２閾値ＴＨ２以上である場合（即ち、タンク３０の中間部にまで高温の熱媒も低温の熱媒も貯まっていない場合）には、制御装置９５は、Ｓ１６でＹＥＳと判断し、Ｓ２０、Ｓ２２の監視に進む。Ｓ１６でＹＥＳの場合は、タンク３０の中間部に中間温度の熱媒が貯まっている場合、と言い換えることもできる。
【００３６】
Ｓ２０、Ｓ２２では、制御装置９５は、タンク３０内の蓄熱量の変動傾向が増加傾向と減少傾向のどちらであるのかを監視する。即ち、Ｓ２０、Ｓ２２では、制御装置９５は、サーミスタＴ２の検出温度が第１閾値ＴＨ１以上に達するか、第２閾値ＴＨ２より低くなるか、を監視する。
【００３７】
Ｓ２０、Ｓ２２の監視の開始後、サーミスタＴ２の検出温度が第１閾値ＴＨ１以上に達する場合、制御装置９５は、Ｓ２０でＹＥＳと判断し、Ｓ２４に進む。Ｓ２０でＹＥＳの場合は、Ｓ１６でＹＥＳと判断された時点を基準として、タンク３０内の蓄熱量が増加傾向にあることを意味する。Ｓ２４では、制御装置９５は、後述の能力低下処理（図６参照）を実行する。
【００３８】
一方、Ｓ２０、Ｓ２２の監視の開始後、サーミスタＴ２の検出温度が第２閾値ＴＨ２より低くなる場合、制御装置９５は、Ｓ２２でＹＥＳと判断し、Ｓ２６に進む。Ｓ２２でＹＥＳの場合は、Ｓ１６でＹＥＳと判断された時点を基準として、タンク３０内の蓄熱量が減少傾向にあることを意味する。Ｓ２６では、制御装置９５は、後述の能力上昇処理（図７参照）を実行する。
【００３９】
（第１実施例の能力低下処理；図６）
図６を参照して、能力低下処理（図５のＳ２４参照）の内容を説明する。図６のＳ４０では、制御装置９５は、タイマーのカウントを開始する。タイマーは制御装置９５に内蔵されている。
【００４０】
次いで、Ｓ４２では、制御装置９５は、サーミスタＴ２の検出温度が第１閾値ＴＨ１以上であることを確認する。タンク３０内の蓄熱量の増加傾向が継続していれば、制御装置９５は、Ｓ４２でＹＥＳと判断し、Ｓ４４に進む。一方、暖房端末９０の要求する熱媒の温度が急激に変動した場合のように、何らかの事情でタンク３０内の蓄熱量が増加傾向から減少傾向に転じていた場合、能力低下処理の開始後であっても、サーミスタＴ２の検出温度が第１閾値ＴＨ１より低くなることがあり得る。この場合、制御装置９５は、Ｓ４２でＮＯと判断し、Ｓ５６に進む。Ｓ５６では、制御装置９５は、Ｓ４０で開始したタイマーのカウントをリセットする。その後、図６の能力低下処理を終了する。
【００４１】
Ｓ４４では、制御装置９５は、タンク３０の下部に設けられたサーミスタＴ３の検出温度が、第１閾値ＴＨ１以上に達したか否かを判断する。タンク３０内の蓄熱量の増加傾向が継続し、サーミスタＴ３の検出温度が第１閾値ＴＨ１以上に達すれば、制御装置９５は、Ｓ４４でＹＥＳと判断し、Ｓ４６に進む。一方、サーミスタＴ３の検出温度が第１閾値ＴＨ１に達していない場合は、制御装置９５は、Ｓ４４でＮＯと判断し、Ｓ４２に戻る。
【００４２】
Ｓ４６では、制御装置９５は、Ｓ４４でＹＥＳと判断された時点のタイマーのカウント時間が１分より長いか否かを判断する。ここで、Ｓ４４でＹＥＳと判断された時点のタイマーのカウント時間は、サーミスタＴ２が第１閾値ＴＨ１以上の温度を検出してから、サーミスタＴ３が第１閾値ＴＨ１以上の温度を検出するまでに要した時間を意味する。即ち、タンク３０内で、高温層と中温層との境界がサーミスタＴ２の位置からサーミスタＴ３の位置まで移動（降下）した速度を表している。
【００４３】
タイマーのカウント時間が１分より長い場合、制御装置９５は、Ｓ４６でＹＥＳと判断し、Ｓ４８に進む。一方、タイマーのカウント時間が１分以下である場合、制御装置９５は、Ｓ４６でＮＯと判断し、Ｓ５４に進む。Ｓ４６でＮＯの場合は、タンク３０内で、高温層と中温層との境界がサーミスタＴ２の位置からサーミスタＴ３の位置まで高速で移動したことを意味する。即ち、ヒートポンプユニット２０の加熱能力が、暖房端末９０における放熱量に比べて過度に高いことを意味する。そのため、Ｓ５４では、制御装置９５は、ヒートポンプユニット２０の加熱能力を一度に３段階低下させる。Ｓ５４を終えると、Ｓ５６に進む。
【００４４】
Ｓ４８では、制御装置９５は、Ｓ４４でＹＥＳと判断された時点のタイマーのカウント時間が３分より長いか否かを判断する。タイマーのカウント時間が１分より長く、３分以下である場合、制御装置９５は、Ｓ４８でＮＯと判断し、Ｓ５２に進む。Ｓ４８でＮＯの場合は、タンク３０内で、高温層と中温層との境界がサーミスタＴ２の位置からサーミスタＴ３の位置まで中程度の速度で移動したことを意味する。即ち、ヒートポンプユニット２０の加熱能力が、暖房端末９０における放熱量に比べて比較的高いことを意味する。そのため、Ｓ５２では、制御装置９５は、ヒートポンプユニット２０の加熱能力を一度に２段階低下させる。Ｓ５２を終えると、Ｓ５６に進む。
【００４５】
一方、タイマーのカウント時間が３分より長い場合、制御装置９５は、Ｓ４８でＹＥＳと判断し、Ｓ５０に進む。Ｓ４８でＹＥＳの場合は、タンク３０内で、高温層と中温層との境界がサーミスタＴ２の位置からサーミスタＴ３の位置まで低速で移動したことを意味する。即ち、ヒートポンプユニット２０の加熱能力が、暖房端末９０における放熱量に比べて少し高いことを意味する。そのため、Ｓ５０では、制御装置９５は、ヒートポンプユニット２０の加熱能力を１段階低下させる。Ｓ５０を終えると、Ｓ５６に進む。
【００４６】
Ｓ５６では、制御装置９５は、タイマーのカウントをリセットする。その後、図６の能力低下処理を終了する。図６の能力低下処理（図５のＳ２４）が終了すると、再び図５のＳ１０に戻り、所定時間が経過することを監視する。
【００４７】
（第１実施例の能力上昇処理；図７）
図７を参照して、能力上昇処理（図５のＳ２６参照）の内容を説明する。図７のＳ７０では、制御装置９５は、タイマーのカウントを開始する。
【００４８】
次いで、Ｓ７２では、制御装置９５は、サーミスタＴ２の検出温度が第２閾値ＴＨ２より低いことを確認する。タンク３０内の蓄熱量の減少傾向が継続していれば、制御装置９５は、Ｓ７２でＹＥＳと判断し、Ｓ７４に進む。一方、暖房端末９０の要求する熱媒の温度が急激に変動した場合のように、何らかの事情でタンク３０内の蓄熱量が減少傾向から増加傾向に転じていた場合、能力上昇処理の開始後であっても、サーミスタＴ２の検出温度が第２閾値ＴＨ２以上になることがあり得る。この場合、制御装置９５は、Ｓ７２でＮＯと判断し、Ｓ８６に進む。Ｓ８６では、制御装置９５は、Ｓ７０で開始したタイマーのカウントをリセットする。その後、図７の能力上昇処理を終了する。
【００４９】
Ｓ７４では、制御装置９５は、タンク３０の上部に設けられたサーミスタＴ１の検出温度が、第２閾値ＴＨ２より低くなったか否かを判断する。タンク３０内の蓄熱量の減少傾向が継続し、サーミスタＴ１の検出温度が第２閾値ＴＨ２より低くなれば、制御装置９５は、Ｓ７４でＹＥＳと判断し、Ｓ７６に進む。一方、サーミスタＴ１の検出温度が第２閾値ＴＨ２より低くなっていない場合は、制御装置９５は、Ｓ７４でＮＯと判断し、Ｓ７２に戻る。
【００５０】
Ｓ７６では、制御装置９５は、Ｓ７４でＹＥＳと判断された時点のタイマーのカウント時間が１分より長いか否かを判断する。ここで、Ｓ７４でＹＥＳと判断された時点のタイマーのカウント時間は、サーミスタＴ２が第２閾値ＴＨ２より低い温度を検出してから、サーミスタＴ１が第２閾値ＴＨ２より低い温度を検出するまでに要した時間を意味する。即ち、タンク３０内で、低温層と中温層との境界がサーミスタＴ２の位置からサーミスタＴ１の位置まで移動（上昇）した速度を表している。
【００５１】
タイマーのカウント時間が１分より長い場合、制御装置９５は、Ｓ７６でＹＥＳと判断し、Ｓ７８に進む。一方、タイマーのカウント時間が１分以下である場合、制御装置９５は、Ｓ７６でＮＯと判断し、Ｓ８４に進む。Ｓ７６でＮＯの場合は、タンク３０内で、低温層と中温層との境界がサーミスタＴ２の位置からサーミスタＴ１の位置まで高速で移動したことを意味する。即ち、ヒートポンプユニット２０の加熱能力が、暖房端末９０における放熱量に比べて過度に低いことを意味する。そのため、Ｓ８４では、制御装置９５は、ヒートポンプユニット２０の加熱能力を一度に３段階上昇させる。Ｓ８４を終えると、Ｓ８６に進む。
【００５２】
Ｓ７８では、制御装置９５は、Ｓ７４でＹＥＳと判断された時点のタイマーのカウント時間が３分より長いか否かを判断する。タイマーのカウント時間が１分より長く、３分以下である場合、制御装置９５は、Ｓ７８でＮＯと判断し、Ｓ８２に進む。Ｓ７８でＮＯの場合は、タンク３０内で、低温層と中温層との境界がサーミスタＴ２の位置からサーミスタＴ１の位置まで中程度の速度で移動したことを意味する。即ち、ヒートポンプユニット２０の加熱能力が、暖房端末９０における放熱量に比べて比較的低いことを意味する。そのため、Ｓ８２では、制御装置９５は、ヒートポンプユニット２０の加熱能力を一度に２段階上昇させる。Ｓ８２を終えると、Ｓ８６に進む。
【００５３】
一方、タイマーのカウント時間が３分より長い場合、制御装置９５は、Ｓ７８でＹＥＳと判断し、Ｓ８０に進む。Ｓ７８でＹＥＳの場合は、タンク３０内で、低温層と中温層との境界がサーミスタＴ２の位置からサーミスタＴ１の位置まで低速で移動したことを意味する。即ち、ヒートポンプユニット２０の加熱能力が、暖房端末９０における放熱量に比べて少し低いことを意味する。そのため、Ｓ８０では、制御装置９５は、ヒートポンプユニット２０の加熱能力を１段階上昇させる。Ｓ８０を終えると、Ｓ８６に進む。
【００５４】
Ｓ８６では、制御装置９５は、タイマーのカウントをリセットする。その後、図７の能力上昇処理を終了する。図７の能力上昇処理（図５のＳ２６）が終了すると、再び図５のＳ１０に戻り、所定時間が経過することを監視する。
【００５５】
制御装置９５は、ユーザから暖房の停止が指示されるまで、図５の暖房制御処理（Ｓ１０〜Ｓ２６）を繰り返し実行する。ユーザから暖房の停止が指示されると、制御装置９５は、暖房制御処理を終了する。
【００５６】
以上、本実施例の給湯暖房システム１０の構成及び運転内容について説明した。上記の通り、制御装置９５は、サーミスタＴ２が第１閾値ＴＨ１以上の温度を検出してから、サーミスタＴ３が第１閾値ＴＨ１以上の温度を検出するまでに要した時間（図６のＳ４４でＹＥＳと判断された時点のタイマーのカウント時間）に応じて、ヒートポンプユニット２０の加熱能力を低下させる（図６のＳ５０、Ｓ５２、Ｓ５４参照）。同様に、制御装置９５は、サーミスタＴ２が第２閾値ＴＨ２より低い温度を検出してから、サーミスタＴ１が第２閾値ＴＨ２より低い温度を検出するまでに要した時間（図７のＳ７４でＹＥＳと判断された時点のタイマーのカウント時間）に応じて、ヒートポンプユニット２０の加熱能力を上昇させる（図７のＳ８０、Ｓ８２、Ｓ８４参照）。即ち、制御装置９５は、タンク３０への蓄熱速度又はタンク３０からの放熱速度に応じて、ヒートポンプユニット２０の加熱能力を変化させることができる。そのため、本実施例の給湯暖房システム１０は、タンク３０の容量にかかわらず、タイマーのカウント時間（即ち、タンク３０への蓄熱速度又はタンク３０からの放熱速度）を参照することで、現時点のヒートポンプユニット２０の加熱能力と暖房端末９０における放熱量との乖離量（アンバランス量）を推定することができ、放熱過多によってタンク３０が蓄熱不足状態（湯切れ状態）になったり、蓄熱過多によってタンク３０が満蓄状態になったりする前に、適切な加熱能力でヒートポンプユニット２０を動作させることができる。従って、本実施例によると、小容量のタンク３０を用いる場合であっても、ヒートポンプユニット２０を、暖房端末９０における放熱量に適合する適切な加熱能力で動作させることができる。
【００５７】
また、本実施例では、制御装置９５は、タイマーのカウント時間の長さに応じて、ヒートポンプユニット２０の加熱能力の変化量を変えている（図６のＳ４６〜Ｓ５４、図７のＳ７６〜Ｓ８４参照）。そのため、本実施例の給湯暖房システム１０では、状況に応じて、ヒートポンプユニット２０を適切な加熱能力で動作させることができる。
【００５８】
本実施例の請求項の記載との対応関係を説明しておく。サーミスタＴ１、Ｔ２、Ｔ３が「検出手段」の一例である。蓄熱用往路３４と蓄熱用復路３２が、「蓄熱循環経路」の一例である。暖房用往路５６と暖房用復路６０が「放熱循環経路」の一例である。サーミスタＴ２が第１閾値ＴＨ１以上の温度を検出してから、サーミスタＴ３が第１閾値ＴＨ１以上の温度を検出するまでに要した時間（図６のＳ４４でＹＥＳと判断された時点のタイマーのカウント時間）、及び、サーミスタＴ２が第２閾値ＴＨ２より低い温度を検出してから、サーミスタＴ１が第２閾値ＴＨ２より低い温度を検出するまでに要した時間（図７のＳ７４でＹＥＳと判断された時点のタイマーのカウント時間）が、「差分時間」の一例である。
【００５９】
（第２実施例）
第１実施例と異なる点を中心に説明する。本実施例の給湯暖房システム１００の基本的な構成は、第１実施例の給湯暖房システム１０と共通する。ただし、図８に示すように、本実施例の給湯暖房システム１００では、タンク３０には、タンク３０の高さ方向上側から順に４つのサーミスタＴ１、Ｔ２、Ｔ３、Ｔ４が設けられている点で、第１実施例の給湯暖房システム１０とは異なる。サーミスタＴ１、Ｔ２、Ｔ３、Ｔ４はいずれも制御装置９５に接続されている。また、本実施例の給湯暖房システム１００では、制御装置９５が実行する暖房制御処理（図９〜図１１）の内容も第１実施例とは異なる。本実施例の暖房制御処理は、使用するサーミスタが４つ（サーミスタＴ１〜Ｔ４）である点と、判断の基準となる熱媒温度の閾値が第１閾値ＴＨ１のみである点が、第１実施例とは異なる。
【００６０】
（第２実施例の暖房制御処理；図９〜図１１）
続いて、図９〜図１１を参照して、本実施例における暖房制御処理の内容について説明する。本実施例では、制御装置９５は、ヒートポンプユニット２０を運転しながら暖房を行っている間、図９の暖房制御処理を実行する。
【００６１】
Ｓ１１０では、制御装置９５は、所定時間経過したことを監視する。所定時間（例えば１分間）が経過すると、制御装置９５は、Ｓ１１０でＹＥＳと判断し、Ｓ１１２に進む。
【００６２】
Ｓ１１２では、制御装置９５は、上から２番目に設けられたサーミスタＴ２の検出温度が、所定の第１閾値ＴＨ１以上であるか否かを判断する。第１閾値ＴＨ１は、上記の第１実施例と同様である。
【００６３】
この時点でのサーミスタＴ２の検出温度が第１閾値ＴＨ１以上である場合（即ち、タンク３０の頂部から中間部の上方付近に至るまで高温の熱媒が貯まっている場合）には、制御装置９５は、Ｓ１１２でＹＥＳと判断し、Ｓ１１６に進む。一方、この時点でのサーミスタＴ２の検出温度が第１閾値ＴＨ１より低い場合（即ち、タンク３０の中間部の上方付近まで高温の熱媒が貯まっていない場合）には、制御装置９５は、Ｓ１１２でＮＯと判断し、Ｓ１１４に進む。Ｓ１１４では、制御装置９５は、ヒートポンプユニット２０の加熱能力を１段階上昇させる。Ｓ１１４を終えると、再びＳ１１０に戻り、所定時間が経過することを監視する。
【００６４】
Ｓ１１６では、制御装置９５は、上から３番目のサーミスタＴ３の検出温度が、第１閾値ＴＨ１より低いか否かを判断する。この時点でのサーミスタＴ３の検出温度が第１閾値ＴＨ１より低い場合（即ち、タンク３０の中間部の上方付近までは高温の熱媒が貯まっているが、タンク３０の中間部の下方付近に至るまでは高温の熱媒が貯まっていない場合）には、制御装置９５は、Ｓ１１６でＹＥＳと判断し、Ｓ１２０、Ｓ１２２の監視に進む。一方、この時点でのサーミスタＴ３の検出温度が、第１閾値ＴＨ１以上である場合（即ち、タンク３０の中間部の下方付近に至るまで高温の熱媒が貯まっている場合）には、制御装置９５は、Ｓ１１６でＮＯと判断し、Ｓ１１８に進む。Ｓ１１８では、制御装置９５は、ヒートポンプユニット２０の加熱能力を１段階低下させる。Ｓ１１８を終えると、再びＳ１１０に戻り、所定時間が経過することを監視する。
【００６５】
Ｓ１２０、Ｓ１２２では、制御装置９５は、タンク３０内の蓄熱量の変動傾向が増加傾向と減少傾向のどちらであるのかを監視する。即ち、Ｓ１２０、Ｓ１２２では、制御装置９５は、サーミスタＴ３の検出温度が第１閾値ＴＨ１以上に達するか、サーミスタＴ２の検出温度が第１閾値ＴＨ１より低くなるか、を監視する。
【００６６】
Ｓ１２０、Ｓ１２２の監視の開始後、サーミスタＴ３の検出温度が第１閾値ＴＨ１以上に達する場合、制御装置９５は、Ｓ１２０でＹＥＳと判断し、Ｓ１２４に進む。Ｓ１２０でＹＥＳの場合は、Ｓ１１６でＹＥＳと判断された時点を基準として、タンク３０内の蓄熱量が増加傾向にあることを意味する。Ｓ１２４では、制御装置９５は、後述の能力低下処理（図１０参照）を実行する。
【００６７】
一方、Ｓ１２０、Ｓ１２２の監視の開始後、サーミスタＴ２の検出温度が第１閾値ＴＨ１より低くなる場合、制御装置９５は、Ｓ１２２でＹＥＳと判断し、Ｓ１２６に進む。Ｓ１２２でＹＥＳの場合は、Ｓ１１６でＹＥＳと判断された時点を基準として、タンク３０内の蓄熱量が減少傾向にあることを意味する。Ｓ１２６では、制御装置９５は、後述の能力上昇処理（図１１参照）を実行する。
【００６８】
（第２実施例の能力低下処理；図１０）
図１０を参照して、能力低下処理（図９のＳ１２４参照）の内容を説明する。図１０のＳ１４０では、制御装置９５は、タイマーのカウントを開始する。
【００６９】
次いで、Ｓ１４２では、制御装置９５は、サーミスタＴ３の検出温度が第１閾値ＴＨ１以上であることを確認する。タンク３０内の蓄熱量の増加傾向が継続していれば、制御装置９５は、Ｓ１４２でＹＥＳと判断し、Ｓ１４４に進む。一方、暖房端末９０の要求する熱媒の温度が急激に変動した場合のように、何らかの事情でタンク３０内の蓄熱量が増加傾向から減少傾向に転じていた場合、能力低下処理の開始後であっても、サーミスタＴ３の検出温度が第１閾値ＴＨ１より低くなることがあり得る。この場合、制御装置９５は、Ｓ１４２でＮＯと判断し、Ｓ１５６に進む。Ｓ１５６では、制御装置９５は、Ｓ１４０で開始したタイマーのカウントをリセットする。その後、図１０の能力低下処理を終了する。
【００７０】
Ｓ１４４では、制御装置９５は、タンク３０の下部に設けられたサーミスタＴ４の検出温度が、第１閾値ＴＨ１以上に達したか否かを判断する。タンク３０内の蓄熱量の増加傾向が継続し、サーミスタＴ４の検出温度が第１閾値ＴＨ１以上に達すれば、制御装置９５は、Ｓ１４４でＹＥＳと判断し、Ｓ１４６に進む。一方、サーミスタＴ４の検出温度が第１閾値ＴＨ１に達していない場合は、制御装置９５は、Ｓ１４４でＮＯと判断し、Ｓ１４２に戻る。
【００７１】
Ｓ１４６では、制御装置９５は、Ｓ１４４でＹＥＳと判断された時点のタイマーのカウント時間が１分より長いか否かを判断する。ここで、Ｓ１４４でＹＥＳと判断された時点のタイマーのカウント時間は、サーミスタＴ３が第１閾値ＴＨ１以上の温度を検出してから、サーミスタＴ４が第１閾値ＴＨ１以上の温度を検出するまでに要した時間を意味する。即ち、タンク３０内で、高温層と中温層との境界がサーミスタＴ３の位置からサーミスタＴ４の位置まで移動（降下）した速度を表している。
【００７２】
タイマーのカウント時間が１分より長い場合、制御装置９５は、Ｓ１４６でＹＥＳと判断し、Ｓ１４８に進む。一方、タイマーのカウント時間が１分以下である場合、制御装置９５は、Ｓ１４６でＮＯと判断し、Ｓ１５４に進む。Ｓ１４６でＮＯの場合は、タンク３０内で、高温層と中温層との境界がサーミスタＴ３の位置からサーミスタＴ４の位置まで高速で移動したことを意味する。即ち、ヒートポンプユニット２０の加熱能力が、暖房端末９０における放熱量に比べて過度に高いことを意味する。そのため、Ｓ１５４では、制御装置９５は、ヒートポンプユニット２０の加熱能力を一度に３段階低下させる。Ｓ１５４を終えると、Ｓ１５６に進む。
【００７３】
Ｓ１４８では、制御装置９５は、Ｓ１４４でＹＥＳと判断された時点のタイマーのカウント時間が３分より長いか否かを判断する。タイマーのカウント時間が１分より長く、３分以下である場合、制御装置９５は、Ｓ１４８でＮＯと判断し、Ｓ１５２に進む。Ｓ１４８でＮＯの場合は、タンク３０内で、高温層と中温層との境界がサーミスタＴ３の位置からサーミスタＴ４の位置まで中程度の速度で移動したことを意味する。即ち、ヒートポンプユニット２０の加熱能力が、暖房端末９０における放熱量に比べて比較的高いことを意味する。そのため、Ｓ１５２では、制御装置９５は、ヒートポンプユニット２０の加熱能力を一度に２段階低下させる。Ｓ１５２を終えると、Ｓ１５６に進む。
【００７４】
一方、タイマーのカウント時間が３分より長い場合、制御装置９５は、Ｓ１４８でＹＥＳと判断し、Ｓ１５０に進む。Ｓ１４８でＹＥＳの場合は、タンク３０内で、高温層と中温層との境界がサーミスタＴ３の位置からサーミスタＴ４の位置まで低速で移動したことを意味する。即ち、ヒートポンプユニット２０の加熱能力が、暖房端末９０における放熱量に比べて少し高いことを意味する。そのため、Ｓ１５０では、制御装置９５は、ヒートポンプユニット２０の加熱能力を１段階低下させる。Ｓ１５０を終えると、Ｓ１５６に進む。
【００７５】
Ｓ１５６では、制御装置９５は、タイマーのカウントをリセットする。その後、図１０の能力低下処理を終了する。図１０の能力低下処理（図９のＳ１２４）が終了すると、再び図９のＳ１１０に戻り、所定時間が経過することを監視する。
【００７６】
（第２実施例の能力上昇処理；図１１）
図１１を参照して、能力上昇処理（図９のＳ１２６参照）の内容を説明する。図１１のＳ１７０では、制御装置９５は、タイマーのカウントを開始する。
【００７７】
次いで、Ｓ１７２では、制御装置９５は、サーミスタＴ２の検出温度が第１閾値ＴＨ１より低いことを確認する。タンク３０内の蓄熱量の減少傾向が継続していれば、制御装置９５は、Ｓ１７２でＹＥＳと判断し、Ｓ１７４に進む。一方、暖房端末９０の要求する熱媒の温度が急激に変動した場合のように、何らかの事情でタンク３０内の蓄熱量が減少傾向から増加傾向に転じていた場合、能力上昇処理の開始後であっても、サーミスタＴ２の検出温度が第１閾値ＴＨ１以上になることがあり得る。この場合、制御装置９５は、Ｓ１７２でＮＯと判断し、Ｓ１８６に進む。Ｓ１８６では、制御装置９５は、Ｓ１７０で開始したタイマーのカウントをリセットする。その後、図１１の能力上昇処理を終了する。
【００７８】
Ｓ１７４では、制御装置９５は、タンク３０の上部に設けられたサーミスタＴ１の検出温度が、第１閾値ＴＨ１より低くなったか否かを判断する。タンク３０内の蓄熱量の減少傾向が継続し、サーミスタＴ１の検出温度が第１閾値ＴＨ１より低くなれば、制御装置９５は、Ｓ１７４でＹＥＳと判断し、Ｓ１７６に進む。一方、サーミスタＴ１の検出温度が第１閾値ＴＨ１より低くなっていない場合は、制御装置９５は、Ｓ１７４でＮＯと判断し、Ｓ１７２に戻る。
【００７９】
Ｓ１７６では、制御装置９５は、Ｓ１７４でＹＥＳと判断された時点のタイマーのカウント時間が１分より長いか否かを判断する。ここで、Ｓ１７４でＹＥＳと判断された時点のタイマーのカウント時間は、サーミスタＴ２が第１閾値ＴＨ１より低い温度を検出してから、サーミスタＴ１が第１閾値ＴＨ１より低い温度を検出するまでに要した時間を意味する。即ち、タンク３０内で、高温層と中温層との境界がサーミスタＴ２の位置からサーミスタＴ１の位置まで移動（上昇）した速度を表している。
【００８０】
タイマーのカウント時間が１分より長い場合、制御装置９５は、Ｓ１７６でＹＥＳと判断し、Ｓ１７８に進む。一方、タイマーのカウント時間が１分以下である場合、制御装置９５は、Ｓ１７６でＮＯと判断し、Ｓ１８４に進む。Ｓ１７６でＮＯの場合は、タンク３０内で、高温層と中温層との境界がサーミスタＴ２の位置からサーミスタＴ１の位置まで高速で移動したことを意味する。即ち、ヒートポンプユニット２０の加熱能力が、暖房端末９０における放熱量に比べて過度に低いことを意味する。そのため、Ｓ１８４では、制御装置９５は、ヒートポンプユニット２０の加熱能力を一度に３段階上昇させる。Ｓ１８４を終えると、Ｓ１８６に進む。
【００８１】
Ｓ１７８では、制御装置９５は、Ｓ１７４でＹＥＳと判断された時点のタイマーのカウント時間が３分より長いか否かを判断する。タイマーのカウント時間が１分より長く、３分以下である場合、制御装置９５は、Ｓ１７８でＮＯと判断し、Ｓ１８２に進む。Ｓ１７８でＮＯの場合は、タンク３０内で、高温層と中温層との境界がサーミスタＴ２の位置からサーミスタＴ１の位置まで中程度の速度で移動したことを意味する。即ち、ヒートポンプユニット２０の加熱能力が、暖房端末９０における放熱量に比べて比較的低いことを意味する。そのため、Ｓ１８２では、制御装置９５は、ヒートポンプユニット２０の加熱能力を一度に２段階上昇させる。Ｓ１８２を終えると、Ｓ１８６に進む。
【００８２】
一方、タイマーのカウント時間が３分より長い場合、制御装置９５は、Ｓ１７８でＹＥＳと判断し、Ｓ１８０に進む。Ｓ１７８でＹＥＳの場合は、タンク３０内で、高温層と中温層との境界がサーミスタＴ２の位置からサーミスタＴ１の位置まで低速で移動したことを意味する。即ち、ヒートポンプユニット２０の加熱能力が、暖房端末９０における放熱量に比べて少し低いことを意味する。そのため、Ｓ１８０では、制御装置９５は、ヒートポンプユニット２０の加熱能力を１段階上昇させる。Ｓ１８０を終えると、Ｓ１８６に進む。
【００８３】
Ｓ１８６では、制御装置９５は、タイマーのカウントをリセットする。その後、図１１の能力上昇処理を終了する。図１１の能力上昇処理（図９のＳ１２６）が終了すると、再び図９のＳ１１０に戻り、所定時間が経過することを監視する。
【００８４】
制御装置９５は、ユーザから暖房の停止が指示されるまで、図９の暖房制御処理（Ｓ１１０〜Ｓ１２６）を繰り返し実行する。ユーザから暖房の停止が指示されると、制御装置９５は、暖房制御処理を終了する。
【００８５】
以上、本実施例の給湯暖房システム１００の構成及び運転内容について説明した。本実施例の給湯暖房システム１００も、第１実施例の給湯暖房システム１０と同様の作用効果を発揮することができる。本実施例では、サーミスタＴ１、Ｔ２、Ｔ３、Ｔ４が「検出手段」の一例である。サーミスタＴ３が第１閾値ＴＨ１以上の温度を検出してから、サーミスタＴ４が第１閾値ＴＨ１以上の温度を検出するまでに要した時間（図１０のＳ１４４でＹＥＳと判断された時点のタイマーのカウント時間）、及び、サーミスタＴ２が第１閾値ＴＨ１より低い温度を検出してから、サーミスタＴ１が第１閾値ＴＨ１より低い温度を検出するまでに要した時間（図１１のＳ１７４でＹＥＳと判断された時点のタイマーのカウント時間）が、「差分時間」の一例である。
【００８６】
以上、各実施例について詳細に説明したが、これらは例示に過ぎず、特許請求の範囲を限定するものではない。特許請求の範囲に記載の技術には、以上に例示した具体例を様々に変形、変更したものが含まれる。
【００８７】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００８８】
１０、１００：給湯暖房システム
２０：ヒートポンプユニット
２２：循環ポンプ
２４：手動弁
２８：タンクユニット
３０：タンク
３２：蓄熱用復路
３４：蓄熱用往路
４４：蓄熱往路サーミスタ
４６：蓄熱復路サーミスタ
４８：暖房往路サーミスタ
５０：排水管
５２：手動弁
５６：暖房用往路
５８：暖房往路サーミスタ
６０：暖房用復路
６２：暖房復路サーミスタ
６４：バイパス経路
６６：混合弁
７０：膨張タンク
８０：給湯暖房ユニット
８２：給湯管路
８４：バーナ
８６：バーナ
８７：循環ポンプ
９０：暖房端末
９５：制御装置
Ｔ１、Ｔ２、Ｔ３、Ｔ４：サーミスタ
【図１】
2016109334.tif 000003
【図２】
2016109334.tif 000004
【図３】
2016109334.tif 000005
【図４】
2016109334.tif 000006
【図５】
2016109334.tif 000007
【図６】
2016109334.tif 000008
【図７】
2016109334.tif 000009
【図８】
2016109334.tif 000010
【図９】
2016109334.tif 000011
【図１０】
2016109334.tif 000012
【図１１】
2016109334.tif 000013